(57)【要約】【課題】  施工性の向上と現場対応性の向上を図ることができる防火用充填材支持金具を提供する点にある。【解決手段】躯体Ｂに貫通形成された挿通孔Ｂ１の内面とこれに挿通される挿通体Ｃとの間の環状空間内に充填される防火用充填材を受止め支持する環状の受止め部１と、該受止め部１の複数箇所から延出された挿通孔Ｂ１の開口縁に係止固定可能な掛け止め部２から構成され、前記受止め部１の周方向一箇所を切断するとともに、前記受止め部１の周方向の一箇所又は複数箇所には塑性変形可能な脆弱部５が形成されている。【選択図】        図１
2007211551.tif 000002
【特許請求の範囲】
【請求項１】
躯体に貫通形成された挿通孔の内面とこれに挿通される挿通体との間の環状空間内に充填される防火区画用充填材を受止め支持する環状の受止め部と、該受止め部の複数箇所から延出された挿通孔の開口縁に係止固定可能な掛け止め部から構成されている防火用充填材支持金具であって、
前記受止め部の周方向一箇所を切断するとともに、前記受止め部の周方向の一箇所又は複数箇所には塑性変形可能な脆弱部が形成されている防火用充填材支持金具。
【請求項２】
前記脆弱部が、内方側に向って開口する切込みによって形成されている請求項１記載の防火用充填材支持金具。
【請求項３】
前記切込みが、受止め部のうち前記切断箇所に径方向で相対向する中央部位を含む複数箇所に形成されているとともに、前記中央部位の切込みの切込み深さが他の部位の切込みより深く形成されている請求項２記載の防火用充填材支持金具。
【請求項４】
受止め部と掛け止め部とが、板金の打抜き加工によって形成されている請求項１、２又は３記載の防火用充填材支持金具。
【請求項５】
前記受止め部が、切断箇所を最大限開けた状態で板金の打抜き加工によって形成されているとともに、切断箇所に径方向で相対向する中央部位の切込みが最大限に拡開形成されている請求項３記載の防火用充填材支持金具。
【発明の詳細な説明】
【技術分野】
【０００１】
本発明は、躯体に貫通形成されている挿通孔の内周面とこれに挿通された挿通体との間の環状空間に充填された防火用充填材を受止め支持する防火用充填材支持金具に関する。
【背景技術】
【０００２】
従来、この種の防火用充填材支持金具として、挿通孔とこれに挿通される挿通体との隙間に対応する半環状の受止め部を備え、これの外周縁の２箇所に挿通孔の開口縁に係止又は止着可能な掛け止め部が外方に向けて形成された一対の分割支持金具から構成されているものが存在している。
この従来の防火用充填材支持金具では、挿通体が挿通された挿通孔対して一対の分割支持金具を、挿通体を挟んで対向するように挿通孔に装着して、挿通孔とこれに挿通体と受止め部とで囲まれた空間に防火用充填材を充填することが行なわれている（例えば、特許文献１を参照）。
【０００３】
【特許文献１】特開平７−１８０２３８号公報（第３頁、図２）
【発明の開示】
【発明が解決しようとする課題】
【０００４】
しかしながら、従来の防火用充填材支持金具にあっては、一対の分割支持金具を挿通孔に装着する必要があり、装着に手間がかかる問題がある。
また、分割支持金具の受止め部は、挿通孔の内径に対応する外径の半環状体に形成されているとともに、受止め部の外縁に形成された掛け止め部が挿通孔内面に対面する構造であるので、製作現場での挿通孔が設定された孔径よりも多少大きい等のバラツキがある場合、掛け止め部とこれに対面する挿通孔内面とに挿通孔を連通する隙間を生じるので、この隙間にも防火用充填材を本来の充填作業とは別に充填する必要があり、施工手間がかかる問題がある。
【０００５】
本発明は上記の事情に鑑みてなされたものであり、その目的とするところは、施工性の向上と現場対応性の向上を図ることができる防火用充填材支持金具を提供する点にある。
【課題を解決するための手段】
【０００６】
本発明の第１番目の防火用充填材支持金具の特徴構成は、躯体に貫通形成された挿通孔の内面とこれに挿通される挿通体との間の環状空間内に充填される防火区画用充填材を受止め支持する環状の受止め部と、該受止め部の複数箇所から延出された挿通孔の開口縁に係止固定可能な掛け止め部から構成され、前記受止め部の周方向一箇所を切断するとともに、前記受止め部の周方向の一箇所又は複数箇所には塑性変形可能な脆弱部が形成されている点にある。
【０００７】
このような構成によれば、脆弱部を塑性変形することによって受止め部を拡縮操作することができるので、挿通孔に挿通された挿通体に対して、その挿通体の外径に対応して受止め部を拡径操作して開けて、挿通体を受止め部内に案内収容し、この状態で脆弱部を介して受止め部を縮径操作して閉じて挿通体に外嵌状態にするとともに、防火用充填材支持金具を挿通孔側に移動させて掛け止め部を挿通孔の開口縁に係止して受止め部を挿通孔内に位置させることができる。そして、この状態で掛け止め部を挿通孔の開口縁に止着して防火用充填材支持金具を装着して、挿通孔内面と挿通体との間の隙間に、防火用充填材を受止め部の支持状態で充填することができる。
従って、挿通体が挿通される挿通孔に防火用充填材支持金具を取扱い性良く装着することができるので、従来の防火用充填材支持金具のように、一対の分割支持金具を挿通孔に装着するものに比べて、施工性の向上を図ることができる。
また、挿通孔の孔径や挿通体の外径にバラツキがある場合であっても、それに対応して受止め部を塑性変形操作が可能であるので、施工現場の挿通孔の孔径や挿通体の外径に対応して、受止め部の切断部の間隔を変えて挿通体に防火用充填材支持金具を現場対応性よく装着することができる。
【０００８】
本発明の第２番目の防火用充填材支持金具の特徴構成は、前記脆弱部が、内方側に向って開口する切込みによって形成されている点にある。
【０００９】
このような構成によれば、切込みといった構造で受止め部に脆弱部を簡単に形成することができるとともに、受止め部を拡径操作する場合には、切込みが開く状態となり、この状態から受止め部を縮径操作する場合には、開き状態の切込みが閉じ状態となるので、受止め部の拡径操作及び縮径操作を容易に実施することができる。これにより、挿通体の外径にバラツキがあっても受止め部の拡大操作によって、挿通体の外径に対応して外嵌することができるとともに、挿通孔の内径にバラツキがあっても受止め部の拡縮操作によって、挿通孔の内径に対応して内嵌することができる。
従って、脆弱性に加えて取扱い性が良く施工性の向上を図ることができる。
【００１０】
本発明の第３番目の防火用充填材支持金具の特徴構成は、前記切込みが、受止め部のうち、前記切断箇所に径方向で相対向する中央部位を含む複数箇所に形成されているとともに、前記中央部位の切込みの切込み深さが他の部位の切込みより深く形成されている点にある。
このような構成によれば、切込み深さが深い切込み部分はその他の切込み部分に比べてより塑性変形しやすい脆弱部になるので、受止め部を拡径操作した場合、複数の切込みがありながら、その内のより脆弱な切込みつまり切込み深さが深い切込みを優先的に開くことができる。
そして、より受止め部を開き状態にする場合には、その他の切込みを個別に開き操作することによって、開き状態を調整することができる。個別に開き操作するには、対象とする切込みを中心にその両側の受止め部分を把持して開き操作して行なう。
従って、挿通体の外径のバラツキに対応して、挿通体への外嵌を行なうことができるとともに、挿通孔の内径のバラツキに対応して、挿通孔への内嵌を行なうことができるので、挿通孔に対する施工性や装着品質の向上を図ることができる。
【００１１】
本発明の第４番目の防火用充填材支持金具の特徴構成は、受止め部と掛け止め部とが、板金の打抜き加工によって形成されている点にある。
【００１２】
このような構成によれば、防火用充填材支持金具を平板状に展開状態とした受止め部と掛け止め部を板金の打抜き加工した場合、受止め部に対して掛け止め部を折り曲げ形成して防火用充填材支持金具を形成することができ、
防火用充填材支持金具を構成する受止め部と掛け止め部とを別々に打抜き加工した場合、受止め部に対して折り曲げ形成された掛け止め部を止着手段（溶接、リベット、ネジ等）によって防火用充填材支持金具を形成することができ、この場合、サイズの異なる受止め部と掛け止め部を組合せて多様なサイズの防火用充填材支持金具を形成することができる。
従って、受止め部と掛け止め部と構成部分が少ない構成であるので、従来のこの種の防火用充填材支持金具に比べて、構造が簡素であり製作が容易であるので、製作コストの低減化を図ることができる。
【００１３】
本発明の第５番目の防火用充填材支持金具の特徴構成は、前記受止め部が、切断箇所を最大限開けた状態で板金の打抜き加工によって形成されているとともに、切断箇所に径方向で相対向する中央部位の切込みが最大限に拡開形成されている点にある。
【００１４】
このような構成によれば、予めに受止め部が最大限開き状態に形成されているから、そのままの開き状態で挿通体を受止め部内に案内収容することができ、この収容状態から切込みが閉じられる方向の閉じ操作を実施して挿通体に対して受止め部を簡単に外嵌することができる。
【００１５】
従って、開き状態の受止め部を閉じ操作することによって、挿通孔に挿通された挿通体に外嵌することができるので、従来の防火用充填材支持金具のように、一対の分割支持金具を挿通孔に装着するものに比べて、部品点数少なく操作性よく装着することができ施工性の向上を図ることができる。
【発明を実施するための最良の形態】
【００１６】
以下、本発明の充填材支持具の一実施例を図面に基づいて説明する。
［第１実施形態］
図１〜図７に示す防火用充填材支持金具Ａは、躯体に貫通形成されている断面円形状の床孔である挿通孔Ｂ１の内周面とこれに挿通された挿通体Ｃとの間の環状空間Ｓに、防火用充填材Ｄを受止め支持するのに用いられる。
この第１実施形態においては、躯体Ｂの床孔である挿通孔Ｂ１に対して、例えば、複数の空調配管Ｃ１ａを結束させた配管類群Ｃ１から構成された挿通体Ｃが挿通される、挿通孔Ｂ１内面と、この挿通孔Ｂ１に挿通される挿通体Ｃの露出する外面との隙間Ｓに充填される防火用充填材Ｄを支持する防火用充填材支持金具Ａについて説明する。
【００１７】
前記防火用充填材Ｄは、図２、図６に示すように、例えば、巻装された長尺な厚さが約２ｍｍ程度の熱膨張性耐火材シートが用いられる。この防火用充填材Ｄは、例えば、耐火性材料、防音性材料の一例である断熱性を備えたロックウールの短繊維を主体に、火災時に膨張するように熱膨張性材料の一例である未焼成バーミキュライト粉末を含有させてフエルト状に湿式抄造によって構成され、軽量で弾性変形可能な可撓性が備えられている。
【００１８】
前記挿通体Ｃの構成部材である空調配管Ｃ１ａは、空調機の室内機と室外機とを配管する、送り配管、戻り配管、ドレン配管、制御ケーブルからなる配管であり、送りと戻りの両配管は、中心の金属管の周りに合成樹脂からなる断熱層を肉厚に被覆した管構造になっている。
【００１９】
前記防火用充填材支持金具Ａは、躯体Ｂに貫通形成された挿通孔Ｂ１の内面とこれに挿通される挿通体Ｃとの間の環状空間Ｓ内に充填される防火用充填材Ｄを受止め支持する受止め部１と、該受止め部１の複数箇所から延出された挿通孔Ｂ１の開口縁に係止固定可能な掛け止め部２から構成されている。
【００２０】
前記防火用充填材支持金具Ａは、例えば、肉厚さ約２ｍｍ程度の厚さの鋼板製の板金Ｋから受止め部１と掛け止め部２を打抜き加工などで一体的に打抜き、この打抜き成型品を受止め部１対して受止め部２をプレス加工により折り曲げ成型して製作される。
【００２１】
前記打抜き成型品は、図９に示すように、一枚の板金Ｋに対して歩留よく展開状態の防火用充填材支持金具Ａの複数が打抜き設定され、この展開状態の防火用充填材支持金具Ａを折り曲げ加工によって完成した防火用充填材支持金具Ａが製作される。ここで、図中には、完成した防火用充填材支持金具Ａに対応する部分には同符号を附してある。
【００２２】
前記受止め部１は、図１〜図３に示すように、周方向一箇所が切断され両端が離間した最大開き状態となった略ω形状に形成され、切断部３に対向する受止め部１の内周側部分の周方向に沿う複数箇所（７箇所）には、塑性変形によって拡縮操作するための脆弱部５が形成されている。
【００２３】
前記掛け止め部２は、受止め部１の両端部１Ａ，１Ａと中間部に合わせて４箇所に設けられている。この防火用充填材支持金具Ａの掛け止め部２は、受止め部１の外周縁から略直角に折り曲げられて形成された連結板部２Ａと、これの先端から外方に略直角に折り曲げて形成された係止部２Ｂとから形成された断面倒立Ｌ字状で、挿通孔Ｂ１の開口縁に係止可能になっている。
【００２４】
前記掛け止め部２の係止部２Ｂには、コンクリートネジｂなどを用いて躯体Ｂに固定可能なネジ受孔２Ｃが形成されている。
【００２５】
前記脆弱部５は、図１〜図３に示すように、内方側に向って開口する切込み５Ａ，５Ｂによって形成され、具体的には、受止め部１のうち、前記切断箇所に径方向で相対向する中央部位の切込み５Ａの切込み深さが他の部位の切込み５Ｂより深く形成されている。
【００２６】
また、この実施形態の防火用充填材支持金具Ａの受止め部１は、予めに最大限開けた状態で打抜き加工によって形成されているとともに、切断箇所に径方向で相対向する中央部位の切込み５Ａが最大限に拡開形成されている。
【００２７】
前記受止め部１の切断部３の間隔Ｌ１は、受止め部1を閉じた状態の内周縁の略内径Ｒ１の大きさに設定されている。
【００２８】
このような構成であれば、図１、図２、図４に示すように、挿通孔Ｂ１の開口から出た挿通体Ｃに対して、挿通体Ｃを受止め部内に案内収容し、この状態で受止め部を縮径操作して閉じて、挿通体に外嵌するとともに、挿通孔Ｂ１側に防火用充填材支持金具Ａを移動させて掛け止め部２を挿通Ｂ１孔の開口縁に係止して受止め部１を挿通孔１内に位置させることができる。
【００２９】
挿通孔Ｂ１に受止め部１を収納する際、受止め部１の最大の外径Ｒ２が挿通孔Ｂ１の孔径Ｇ１よりも小径の度合いが大きい場合、受止め部１を拡径操作して孔径Ｇ２に対応させ、反対に受止め部１の外径Ｒ２が挿通孔Ｂ１の孔径Ｇ１よりも大径の度合いが大きい場合、受止め部を縮径操作して孔径Ｇ１に対応させる。対応させた状態では、掛け止め部２の連結板部２Ａと挿通孔Ｃ内面とが略対面して、後述する防火用充填材Ｄの充填状態では挿通孔Ｂ１は閉塞状態となる。
【００３０】
そして、この状態で掛け止め部２を挿通孔Ｂ１の開口縁にコンクリートネジｂで止着して、防火用充填材支持金具Ａを挿通孔Ｂ１に装着し、挿通孔内面Ｂ１ａと挿通体Ｃとの間の隙間Ｓに、防火用充填材Ｄを受止め部１の支持状態で充填することができる。
【００３１】
そして、挿通孔Ｂ１とこれに挿通される挿通体Ｃと挿通孔Ｂ１に装着された防火用充填材支持金具Ａの受止め部１との間の隙間Ｓに防火用充填材Ｄを充填する。
【００３２】
また、この開き状態の受止め部１でも案内収容することができない場合には、受止め部１の両端部を径方向と直交する軸方向に互いの方向が逆になるひねり操作を行なって、立体的な開き状態にして挿通体Ｃを受止め部内に案内収容することができ、この収容状態から受止め部１のひねりを元に戻すのに続いて切込み５Ａが閉じられる方向の閉じ操作を実施して、挿通体Ｃに対して受止め部１を簡単に外嵌することができる。
【００３３】
前記防火用充填材Ｄの充填は、図２、図６、図７に示すように、挿通体Ｃにシート状の防火用充填材Ｄを挿通孔Ｂ１の内面Ｂ１ａに至るまで巻装して行なわれている。さらに詳しくは、挿通孔Ｂ１と挿通体Ｃとの間で防火用充填材Ｄが圧縮状態になるように巻装され、この巻装によって柔軟性のあるシート状の防火用充填材Ｄが、挿通体Ｃの凹凸形状に食い込む状態になり、挿通孔Ｂ１と挿通体Ｄとの間の隙間Ｓが無くなるような閉塞状態になる。
【００３４】
そして、万が一の火災に遭遇した場合、挿通孔Ｂ１は閉塞されているので、火災煙が、火災側と反対側に向うのを防止することができ、火災熱によって火災側の挿通体Ｃである空調配管Ｃ１ａの可燃性部分（溶融部分）が焼失するような状態に火災熱が至った場合、その火災による焼失分を補うように防火用充填材Ｄが膨張して、火災側と反対側に火災が延焼するのを遅延化することができる。
【００３５】
また、図示しないが、上記構成の防火用充填材支持金具Ｂは、受止め部１と掛け止め部２とが上下で重なるように複数を重ねあわせることができるので、在庫時や多数を使用する施工現場において、運搬の集約や在庫の小容積化を図ることができ、取扱い性の向上を図ることができる。
【００３６】
この実施形態の防火用充填材支持金具Ａでは、深さが深い切込み５Ａはその他の切込み５Ｂに比べてより塑性変形しやすい脆弱部５になるので、受止め部１を拡径操作した場合、複数の切込み５Ａ，５Ｂがありながら、その内のより脆弱な切込みつまり切込み深さが深い切込み５Ａを優先的に開くことができる。
【００３７】
そして、さらに受止め部１を開き状態にする場合には、その他の切込み５Ｂを個別に開き操作することによって、開き状態を調整することができる。個別に開き操作するには、対象とする切込みを中心にその両側の受止め部分を把持して開き操作して行なう。
【００３８】
具体的には、例えば、図８に示すように、挿通体Ｃに外嵌する状態に装着した状態で、挿通体Ｃに外嵌した防火用充填材支持金具Ａの外径に対して、挿通孔Ｂ１の孔径が多少大きい場合、始めに深さが深い切込み５Ａによって大まかに拡径した後、その他の切込み５Ｂを個別に開き操作することによって、開き状態を孔径に対応して調整して、挿通孔Ｂ１
に対応した状態に防火用充填材支持金具Ａを装着することができる。
【００３９】
［第２実施形態］
上記実施形態では、受止め部１が予めに開き状態にある防火用充填材支持金Ａについて説明したが、本発明はこれに限らず、図１０〜図１２に示すように、躯体に貫通形成された挿通孔Ｂ１の内面Ｂ１ａとこれに挿通される挿通体Ｃとの間の環状空間Ｓ内に充填される防火区画用充填材をＤ受止め支持する受止め部１と、該受止め部１の複数箇所から延出された挿通孔Ｂ１の開口縁に係止固定可能な掛け止め部２から構成され、前記受止め部１の周方向一箇所を切断するとともに、この切断部３に対応する前記受止め部１の周方向の一箇所又は複数箇所には塑性変形によって拡縮操作するための脆弱部５が形成されている防火用充填材支持金具Ａであってもよい。
【００４０】
この場合、図１１に示すように、挿通孔Ｂ１の開口から出た挿通体Ｃに対して、その挿通体Ｃの外径に対応して受止め部１を拡径操作して開けて、挿通体Ｃを受止め部１内に案内収容し、この状態で脆弱部５を介して受止め部１を縮径操作して閉じて挿通体Ｃに外嵌状態にするとともに、防火用充填材支持金具Ａを挿通孔Ｂ１側に移動させて掛け止め部２を挿通孔Ｂ１の開口縁に係止して受止め部１を挿通孔Ｂ１内に位置させることができる。そして、図１２に示すように、この状態で掛け止め部２を挿通孔Ｂ１の開口縁に止着して防火用充填材支持金具Ａを装着して、挿通孔Ｂ１内面と挿通体Ｃとの間の隙間に、防火用充填材Ｄを受止め部１の支持状態で充填することができる。
【００４１】
この実施形態の場合、第１実施形態よりも小さい内径の挿通孔Ｂ１に対応する大きさで、図１３に示すように、板金Ｋから受止め部と掛け止め部とが一体に打抜き形成された防火用充填材支持金具Ａを図示してある。
【００４２】
［別実施形態］
１）上記実施形態では、躯体Ｂの床孔である挿通孔Ｂ１に対して装着可能な防火用充填材支持金具Ａを用いた例を説明したが、本発明はこれに限らず、躯体Ｂの壁孔である挿通孔Ｂ１に対して装着可能な防火用充填材支持金具に適用してもよい。
また、孔経路長さが在るような挿通孔の場合、このような挿通孔の一方の開口側と他方の開口側との夫々に充填材支持具を装着するものであってもよい。この場合、装着された填材支持具より奥側に防火用充填材を充填する無駄を回避することができる。
【００４３】
２）上記実施形態では、熱膨張性耐火材シートからなる防火用充填材Ｄを用いる例を説明したが、本発明はこれに限らず、ブロック状の防火用充填材を充填に用いても、パテ状の公知の防火用充填材等を用いてもよい。
【００４４】
３）上記実施形態の防火用充填材支持金具Ａは、受止め部１に対して４箇所の掛け止め部２を一体に設けた例を説明したが、本発明はこれに限らず、施工現場の挿通孔Ｂ１の孔径Ｇ２に対応して、大小の大きさを備える受止め部１が商品形態として構築され、孔径Ｇ２の小さいものに対しては、受止め部１に対して掛け止め部２の本数（例えば図１０図示の２本）が少なく、反対に孔径Ｇ２の大きなものに対しては、受止め部１に対して掛け止め部２の本数が多くして防火用充填材の支持品質を維持できる構成になっている。
【００４５】
４）上記実施形態では、防火用充填材支持金具の受止め部に形成された切込みが３箇所のものについて説明したが、本発明はこれに限らず、２箇所や３箇所であっても、４箇所にあっても、それ以上あってよい。
【００４６】
また、前記切込み５Ａ，５Ｂは、切断部３と径方向で相対向する中央部位を含む７箇所に形成されている例を説明したが、これに限らず、その数よりも少なく数であっても多い数であってもよい。また、受止め部１を形成する方側の湾曲部分のみに形成されるものであってもよい。
【００４７】
５）上記実施形態の防火用充填材支持金具Ａの受止め部１と掛け止め部２とが打抜き加工された一体形成のものについて説明したが、本発明はこれに限らず、受止め部１と掛け止め部２とは別体で板金から打抜き形成されてスポット溶接等で一体化したものであってもよい。
この場合、例えば、掛け止め部の基端部に受止め部の板面と重なり合わせて、その重なる部材同士をスポット溶接等で一体化して防火用充填材支持金具Ａが形成される。
【００４８】
６）上記実施形態の脆弱部５は、受止め部１の内方側に向って開口する切込み５Ａ，５Ｂによって形成されているものについて説明したが、本発明はこれに限らず、図１４、図１５に示すように、受止め部１に形成された穿孔５Ｃであってもよい。
【００４９】
この場合、受止め部１の径方向で穿孔５Ｃ，５Ｄの大きさが大きい程、受止め部１が脆弱化することになるので、受止め部のうち前記切断箇所に径方向で相対向する中央部位を含む複数箇所に形成されている中央部位の穿孔５Ｃが他の部位の穿孔５Ｄより大きく形成することで、上記実施形態と同様の作用効果が得られる。図面には、矩形状の穿孔５Ｃ，５Ｄを記載しているが、円形状、半円形状、楕円形状、その他形状であってもよい。
【００５０】
図１４は、予めに受止め部１が開き状態に形成された防火用充填材支持金具Ａに穿孔５Ｃ，５Ｄからなる脆弱部５を形成した一例を示し、図１５は、予めに受止め部１が閉じ状態に形成された防火用充填材支持金具Ａに穿孔５Ｃ，５Ｄからなる脆弱部５を形成した一例を示している。尚、上記実施形態と同様な構成部分には同符号を附してその詳細は省略する。
【図面の簡単な説明】
【００５１】
【図１】防火用充填材支持金具と挿通孔と挿通体とを示す分解斜視図
【図２】挿通孔に装着された防火用充填材支持金具を示す斜視図
【図３】防火用充填材支持金具の開き状態と閉じ状態を示す平面図
【図４】防火用充填材支持金具を閉じて挿通体を外嵌する手順を示す説明図
【図５】挿通孔に挿通体を外嵌する状態で装着された状態を示す簡略平面図
【図６】防火用充填材支持金具と挿通孔と挿通体とで囲まれた隙間に防火用充填材を充填した状態を示す正断面図
【図７】防火用充填材支持金具と挿通孔と挿通体とで囲まれた隙間に防火用充填材を充填した状態を示す平断面図
【図８】設定された孔径よりも大きな挿通孔の装着される経緯を示す説明図
【図９】防火用充填材支持金具の型取り配置の一例を示す説明図
【図１０】予めに閉じ状態に形成された防火用充填材支持金具を示す平面図
【図１１】挿通体に防火用充填材支持金具を外嵌する前の状態を示す簡略平面図
【図１２】挿通孔に防火用充填材支持金具を装着した状態を示す簡略平面図
【図１３】防火用充填材支持金具の型取り配置の一例を示す説明図
【図１４】本発明を適用した別実施形態である予めに開き状態に形成された防火用充填材支持金具を示す平面図
【図１５】本発明を適用した別実施形態である予めに閉じ状態に形成された防火用充填材支持金具を示す平面図
【符号の説明】
【００５２】
Ａ          防火用充填材支持金具
Ｂ          躯体
Ｂ１        挿通孔
Ｃ          挿通体
Ｓ          隙間
Ｄ          防火用充填材
１          受止め部
２          掛け止め部
３          切断部
５          脆弱部
５Ａ，５Ｂ    切込み
５Ｃ，５Ｄ    穿孔
【図１】
2007211551.tif 000003
【図２】
2007211551.tif 000004
【図３】
2007211551.tif 000005
【図４】
2007211551.tif 000006
【図５】
2007211551.tif 000007
【図６】
2007211551.tif 000008
【図７】
2007211551.tif 000009
【図８】
2007211551.tif 000010
【図９】
2007211551.tif 000011
【図１０】
2007211551.tif 000012
【図１１】
2007211551.tif 000013
【図１２】
2007211551.tif 000014
【図１３】
2007211551.tif 000015
【図１４】
2007211551.tif 000016
【図１５】
2007211551.tif 000017